(57)【要約】  特にハイヒールの靴の底部及び／又はヒールを保護するために、ヒール（９）を囲む可撓性中空本体（１）を備える器具では、中空本体（１）の端壁（２）は板形支柱又は補強部（５）を備え、反対側の端壁はスロットを付けた方法で構成される。【選択図】図１
2011508638.tif 000002
【特許請求の範囲】
【請求項１】
床及び／又はヒール、特にスパイクヒールを保護するために前記ヒールを包囲する可撓性中空本体を含む器具であって、前記中空本体（１）の一方の端壁（２）が板形補強又は補剛手段（５）を備え、反対側に位置付けられた端壁（３）がスロット付きであるように設計されることを特徴とする器具。
【請求項２】
前記可撓性中空本体（１）が実質的に平行六面体形状であることを特徴とする請求項１記載の器具。
【請求項３】
前記可撓性中空本体（１）が合成材料、特にラテックス、ゴムなどのような滑り止め材料で作成されることを特徴とする請求項１又は２記載の器具。
【請求項４】
前記板形補強又は補剛手段（５）が、例えば金属又は硬質プラスチックなどの耐久性がある、又は寸法的に安定した材料で作成されることを特徴とする請求項１、２又は３記載の器具。
【請求項５】
前記板形補強又は補剛手段（５）が前記端壁（２）内に注型されることを特徴とする請求項１から４いずれか１項記載の器具。
【請求項６】
前記スロット付き端壁（３）が、前記端壁（３）の中心から半径方向外側に配向された少なくとも２つ、好ましくは４つ以上のスロット（６）を備え、前記スロット（６）間の前記端壁（３）の材料が可撓性把持つまみ（７）を形成することを特徴とする請求項１から５いずれか１項記載の器具。
【請求項７】
前記スロット付き端壁（３）に実質的に平行に形成され、同様にスロットが付けられた追加の支持壁（１０）が、前記中空本体（１）の内部に配置されることを特徴とする前記請求項いずれか１項記載の器具。
【発明の詳細な説明】
【技術分野】
【０００１】
本発明は床及び／又はヒール、特にスパイクヒールを保護するためにヒールを包囲する可撓性中空本体を含む器具に関する。
【背景技術】
【０００２】
パンプス又はスパイクヒールのようなハイヒールの靴は、ビジネスシューズとしてでも余暇であっても数十年間人気が高まっている。原則として、３ｃｍより高いヒールは既に「ハイヒール」と認識されている。踝関節が地面から上がり、しかも体重分布が足の前部と足の後部の間で変化し、さらにその結果、重心が移動すると、姿勢が変化して、胸部及び臀部を強調し、変化しているが、それと同時に多少不安定である股関節部を揺らす歩き方になり、踝を捻る危険性が増加する。これに関して、ヒールの接触表面が小さいほど、傷害の危険性が高くなる。ヒールの高さが１０センチメートルと１４センチメートルの間の範囲にある靴で十分安全に歩行するには、何らかの練習が必要となり、その上、それでも全ての地面上で、及び全ての傾斜又はタイプの地面で可能なわけではない。より低い高さのヒールでも傷害の危険性は些細でなく、小さい接触表面を有する細いヒールの場合は特にそうである。
【０００３】
ヒールの下に大きい支持表面があるものからスパイクヒールのペニー硬貨形のヒールまで、様々な形状のヒールがあり、スパイクヒールは地面に向かって先細にさえなっている。小さいヒール表面で生じる高い表面圧は、軟らかい表土に沈み、したがってヒールを損傷する危険性を必然的に伴う。さらに、このようなヒールは、傷つきやすい木の床又は寄せ木張り床に損傷を引き起こすことがある。
【０００４】
英国特許第８３４，１０９号は、ヒールと地面の両方を保護する働きをする可撓性「ソックス」を示し、説明している。
【先行技術文献】
【特許文献】
【０００５】
【特許文献１】英国特許第８３４，１０９号
【発明の概要】
【発明が解決しようとする課題】
【０００６】
本発明は、平坦でない又は傾斜した地面での歩行を容易にし、ヒール又はスパイクヒールを汚れ及び天候の影響から保護するように、靴の着用者が靴のヒールに単純な方法で保護手段又は断面の拡大部を提供できるようにする、最初に規定した種類の器具を提供することを目標とする。それと同時に、本発明による器具は、例えば寄せ木張り床のような傷つきやすい地面への損傷からの保護を提供するものである。さらに、本発明により提供される器具は、追加の道具がなく、ヒールへの損傷の危険性を伴わない状態で容易に適用し、外せるものである。
【課題を解決するための手段】
【０００７】
この目的を解決するために、本発明による器具は基本的に、中空本体の一方の端壁が板形補強又は補剛手段を備え、反対側に位置付けられた端壁がスロット付きであるように設計されることを特徴とする。器具は実際、スロット付き端壁が前方にある状態で単純に靴のヒール又はスパイクヒールに押しつけられる。スロット付き端壁の反対側に位置付けられた端壁に板状補強又は補剛手段を提供することにより、ヒールの安定した接触表面が提供され、それと同時に地面上の接触表面が拡大する。これで、ヒール又はスパイクヒールによって支持された体重は、もはやヒールの小さい表面積によってのみ地面に作用するのではなく、地面に加えられる点圧力を減少させるように、板形補強又は補剛手段の大きくなった表面積に分布する。特に例えば土壌、砂、雪などのような軟らかい表土では、小さい接触表面を有するヒール又はスパイクヒールは、高い表面負荷によりはまり込み、これはひっくり返ることによって傷害につながり得るばかりでなく、スパイクヒールへの損傷にもつながり得る。というのは、後者が濡れるか汚れる、又は破損することさえあるからである。したがって、本発明による器具は、ヒールへの効果的な保護も提供する。
【０００８】
中空本体としての構成により、低重量の器具が提供され、これはヒール上に安全に留まるために必要とする保持力がそれに応じて小さくなる。器具の取り外しさえ、大きい力を加えずに実行可能になる。端壁のスロット付きの設計は、器具をヒールに押しつける単純な方法を提供し、そこではスロット付きの設計に由来する可撓性つまみを内側に曲げ、それによってヒールに弾性保持力を加えることができる。
【０００９】
好ましい方法では、器具は可撓性中空本体が実質的に平行六面体形状であるように構成される。例えば円筒形又は角柱形の中空本体のように、端面に対して実質的に垂直に延在するジャケットによって相互に接続された２つの実質的に平行の端壁を備える他の形状も予想される。あるいは、半球形の中空本体も予想される。
【００１０】
好ましい方法では、器具は可撓性中空本体が合成材料、特に例えばラテックス、ネオプレン、ゴムなどのような滑り止め材料で作成されるように構成される。滑り止め材料を使用することにより、本発明による器具で補強された靴のオフロードでの移動性が向上する。そのために、材料は例えば追加的に粗くすることによって、地面との接触箇所で適切に機械加工することができる。ダンス用の靴又はヒールの摩擦係数を低くすべき靴の場合、材料はそれに応じて滑らかにするか、被覆することができる。
【００１１】
好ましい方法では、器具は板形補強又は補剛手段が例えば金属又は硬質プラスチックなどの耐久性がある、又は寸法的に安定した材料で作成されるように構成される。これは、特に鋭利なヒールが器具に損傷を引き起こし、時が経つにつれて中空本体の可撓性材料内に貫入することを防止する。同様に、地面に加えられる圧力が減少する。というのは、この方法で体重が中空本体の端面全体に分布するからである。
【００１２】
板形補強又は補剛手段は、別個の要素として中空本体に組み込むことができる。しかし、中空本体の材料への完全な統合を提供するように、板形補強又は補剛手段を端壁内に注型する構成が好ましい。この場合、補強部又は補剛手段を、それに応じて中空本体の材料より硬度が高い板の形態で製造手順中に直接統合することができる。
【００１３】
好ましい方法では、器具はスロット付き端壁が端壁の中心から半径方向外側に配向された少なくとも２つ、好ましくは４つ以上のスロットを備え、スロット間の材料が可撓性把持つまみを形成するように構成される。スロット付き端壁に幾つかのスロットを設けることにより、器具は最大量の異なるスパイクヒールのサイズに、それに応じて適応する必要なく安全に対応することができ、可撓性把持つまみは、様々な幅のスパイクヒールでも器具を維持するのに十分な保持力を提供する。したがって器具を固定する別個のステップが不要になり、器具は単純にスパイクヒールで中空本体に踏み込むことによって固定可能である。
【００１４】
中空本体の把持つまみがヒールと同じレベルで係合していない場合、これは中空本体の傾斜につながるモーメントを引き起こすことがある。これで、中空本体の補強された端面はもはやヒールの接触表面と平行ではなくなり、したがって歩行が困難になる。このような傾斜を防止するために、スロット付き端壁と実質的に平行に形成され、同様にスロットが付けられた追加の支持壁が、端壁のスロットの交点を支持壁のそれと結ぶ垂線が補強された端壁を実質的に垂直に通るように、中空本体の内部に配置される。これは、器具とヒール間の接触表面を増加させることによって、中空本体が傾くのを安全に防止し、そのヒールへの付着を向上させる。このようなさらなる成果は、細いヒールの場合に特に有利である。
【図面の簡単な説明】
【００１５】
以下では、図面で概略的に図示された例示的実施形態によって、本発明をさらに詳細に説明する。
【図１】図３の線Ｉ−Ｉに沿った本発明による器具の断面図である。
【図２】挿入されたヒールがある図１による断面図である。
【図３】本発明による器具の上面図である。
【図４】中空本体内に配置された追加の支持壁を含み、挿入されたヒールがない本発明による器具のさらなる構成を示す。
【図５】中空本体内に配置された追加の支持壁を含み、挿入されたヒールがある本発明による器具のさらなる構成を示す。
【発明を実施するための形態】
【００１６】
図１では、器具の中空本体が１で表されている。中空本体は実質的に立方体の形状であり、下端壁２及び上端壁３を有する。ジャケットが４で表されている。本発明によれば、下端壁２は端壁２内に注型された板形補強又は補剛手段５を備えている。特に図３の上面図から明白であるように、上端壁には把持つまみ７を形成する複数の切り込み又はスロット６が設けられる。靴のヒール９での踏み込みを容易にするために、上端壁３は開口８を含む。
【００１７】
図２による断面図から、ヒール９の断面に従って開口９の断面を広げるように、ヒール９を導入することによって中空本体の内部の方向に把持つまみ７がいかに曲がっているかが明白である。弾力的に内側に曲がった把持つまみ７が、それによってヒール９に保持力を加える。
【００１８】
立方体形の中空本体は、約２５ｍｍの縁長さ及び約２ｍｍの肉厚を有することが好ましく、エラストマ材料としてゴム又はラテックスが選択されることが好ましい。硬質の板５は、２ｍｍの板厚を有する金属板として設計することが好ましい。
【００１９】
図４及び図５は改造した構成を示し、同一の部品には同じ参照番号が引き続き使用されている。これらから、端壁３に平行に延在する同様のスロット付き支持壁１０が明白であり、したがってヒール９と支持壁１０の間の接触表面が、ヒールに突き当たる全接触表面を増加させ、それ故に保持力の上昇に寄与する。それにより中空本体１内のヒール９の傾きが防止される。
【図１】
2011508638.tif 000003
【図２】
2011508638.tif 000004
【図３】
2011508638.tif 000005
【図４】
2011508638.tif 000006
【図５】
2011508638.tif 000007
【手続補正書】
【提出日】平成21年7月14日(2009.7.14)
【手続補正１】
【補正対象書類名】特許請求の範囲
【補正対象項目名】全文
【補正方法】変更
【補正の内容】
【特許請求の範囲】
【請求項１】
床及び／又はヒール、特にスパイクヒールを保護するために前記ヒールを包囲する可撓性中空本体を含む器具であって、それにより前記中空本体（１）の一方の端壁（２）が板形補強又は補剛手段（５）を備え、反対側に位置付けられた端壁（３）がスロット付きであるように設計され、前記スロット付き端壁（３）が、前記端壁（３）の中心から半径方向外側に配向された少なくとも２つ、好ましくは４つ以上のスロット（６）を備え、前記スロット（６）間の前記端壁（３）の材料が可撓性把持つまみ（７）を形成し、前記スロット付き端壁（３）に実質的に平行に形成され、同様にスロットが付けられた追加の支持壁（１０）が、前記中空本体（１）の内部に配置され、それにより前記端壁（３）の材料及び前記スロット間の前記支持壁（１０）がそれぞれ、ヒール上に滑動しながら内側に曲がるような寸法にされた可撓性つまみ（７）を形成する器具。
【請求項２】
前記可撓性中空本体（１）が実質的に平行六面体形状であることを特徴とする請求項１記載の器具。
【請求項３】
前記可撓性中空本体（１）が合成材料、特にラテックス、ゴムなどのような滑り止め材料で作成されることを特徴とする請求項１又は２記載の器具。
【請求項４】
前記板形補強又は補剛手段（５）が、例えば金属又は硬質プラスチックなどの耐久性がある、又は寸法的に安定した材料で作成されることを特徴とする請求項１、２又は３記載の器具。
【請求項５】
前記板形補強又は補剛手段（５）が前記端壁（２）内に注型されることを特徴とする請求項１から４いずれか１項記載の器具。
【請求項６】
ヒール上に滑動するために請求項１から５いずれかに記載の器具を使用することであり、それにより前記可撓性把持つまみが内側に曲がり、前記ヒールに弾性保持力を加える使用。
【国際調査報告】
2011508638.tif 000008
2011508638.tif 000009
2011508638.tif 000010
2011508638.tif 000011